(57)【要約】【課題】ハサミなどの刃の背の部分に取り付けて、紙や紐などを端からの長さを揃えて切断しやすくすることができるスケール付クリップを提供する。【解決手段】クリップ本体１１が、互いに開閉可能に設けられて閉じる方向に付勢された１対の挟持部２４と、各挟持部２４の付勢力に抗して、各挟持部２４を開く方向に動かすための把持部２３とを有している。スケール１３が、各挟持部２４の開閉方向に沿って伸びるよう、伸長方向に沿ってスライド可能にクリップ本体１１に取り付けられている。スケール１３は、一方の端部に伸長方向に対して垂直に突出するよう設けられた係合部３０を有している。スケール１３は、係合部３０からの長さを表す目盛が設けられている。【選択図】図１
0003145694.tif 000002
【実用新案登録請求の範囲】
【請求項１】
クリップ本体とスケールとを有し、
前記クリップ本体は、互いに開閉可能に設けられて閉じる方向に付勢された１対の挟持部と、各挟持部の付勢力に抗して各挟持部を開くための把持部とを有し、
前記スケールは細長い形状であって長さ方向に沿って刻まれた目盛を有し、各挟持部の開閉方向に伸びるよう前記クリップ本体に取り付けられていることを、
特徴とするスケール付クリップ。
【請求項２】
前記スケールは伸長方向に沿って前記クリップ本体に対しスライド可能に取り付けられ、一端に折れ曲がった係合部を有し、前記目盛は前記係合部の位置を始点としていることを、特徴とする請求項１記載のスケール付クリップ。
【請求項３】
さらに固定手段を有し、
前記クリップ本体は１対の開閉板を有し、各開閉板は透明で互いに対向して配置され、それぞれの一部に各挟持部を有し、互いに対向する位置にそれぞれ貫通孔を有し、
前記スケールは各貫通孔に挿入され、
前記固定手段は各開閉板の間で前記スケールを前記クリップ本体に対して任意の位置で固定可能に設けられ、前記目盛を示す基準マークを有することを、
特徴とする請求項１または２記載のスケール付クリップ。
【考案の詳細な説明】
【技術分野】
【０００１】
本考案は、スケール付クリップに関する。
【背景技術】
【０００２】
従来、紙や紐などをハサミで切断するとき、端からの長さを揃えて切断するためには、その都度、端からの長さを測って印を付け、その印に沿って切断していた。また、従来、スケールとクリップとが一体となったものとして、スケールが、クリップの挟む部分の開閉方向に対して垂直方向に伸びるよう設けられたものがある（例えば、特許文献１、２または３参照）。
【０００３】
【特許文献１】実用新案登録第３０９４３２０号公報
【特許文献２】特許第３７６３７９５号公報
【特許文献３】特開２００６−２９２６０５号公報
【考案の開示】
【考案が解決しようとする課題】
【０００４】
特許文献１乃至３記載のスケールとクリップとが一体となったものでは、ハサミなどの刃の背の部分にクリップで取り付けても、スケールで刃からの距離を測ることはできない。このため、紙や紐などを端からの長さを揃えてハサミなどで切断するときに、ハサミなどに取り付けても用をなさないという課題があった。
【０００５】
本考案は、このような課題に着目してなされたもので、ハサミなどの刃の背の部分に取り付けて、紙や紐などを端からの長さを揃えて切断しやすくすることができるスケール付クリップを提供することを目的とする。
【課題を解決するための手段】
【０００６】
上記目的を達成するために、本考案に係るスケール付クリップは、クリップ本体とスケールとを有し、前記クリップ本体は、互いに開閉可能に設けられて閉じる方向に付勢された１対の挟持部と、各挟持部の付勢力に抗して各挟持部を開くための把持部とを有し、前記スケールは細長い形状であって長さ方向に沿って刻まれた目盛を有し、各挟持部の開閉方向に伸びるよう前記クリップ本体に取り付けられていることを、特徴とする。
【０００７】
本考案に係るスケール付クリップは、好適には、ハサミなどの刃の背の部分に取り付けて使用される。すなわち、把持部で各挟持部の付勢力に抗して各挟持部を開き、各挟持部でハサミなどの刃の背の部分を挟んで、ハサミなどの刃の背の部分に取り付ける。このとき、スケールが、各挟持部の開閉方向に伸びるようクリップ本体に取り付けられているため、スケールが刃面に対して垂直方向に伸びる。このため、スケールの目盛を利用して、刃からの距離を測ることができる。刃の背の部分に取り付けた状態で紙や紐などを切断することにより、刃から紙や紐などの端までの距離を確認しながら切断作業を行うことができる。
【０００８】
スケールで刃からの距離を測って切断することにより、端から所望の長さに容易に切断することができる。また、刃からの距離を同じ距離に保つよう切断することにより、紙や紐などを端からの長さを揃えて切断することができる。このように、本考案に係るスケール付クリップは、ハサミなどの刃の背の部分に取り付けて、紙や紐などを端からの長さを揃えて切断しやすくすることができる。
【０００９】
本考案に係るスケール付クリップは、各挟持部により着脱可能であるため、別のハサミなどに付け替えて使用することができる。本考案に係るスケール付クリップは、ハサミだけでなく、ペンチやニッパーなどにも取り付けることができ、針金やケーブルなどを所望の長さに切断したり、端からの長さを揃えて切断したりすることができる。目盛は、スケールの先端からの長さを表していてもよく、刃からの長さを表していてもよい。
【００１０】
本考案に係るスケール付クリップで、前記スケールは伸長方向に沿ってスライド可能に取り付けられていることが好ましい。この場合、スケールをスライドさせることにより、紙や紐などの端を目盛に合わせたり、スケールの刃からの突出量を使いやすい長さに調節したりすることができる。
【００１１】
本考案に係るスケール付クリップで、前記スケールは伸長方向に沿って前記クリップ本体に対しスライド可能に取り付けられ、一端に折れ曲がった係合部を有し、前記目盛は前記係合部の位置を始点としていることが好ましい。この場合、紙や紐などの端を係合部に当てた状態で切断すれば、より容易に、端から所望の長さに切断したり、端からの長さを揃えて切断したりすることができる。スケールが着脱可能に取り付けられている場合には、不要なときスケールを外したり、係合部を刃の背の側に向けるようスケールを付け直したりすることができる。
【００１２】
本考案に係るスケール付クリップは、さらに固定手段を有し、前記クリップ本体は１対の開閉板を有し、各開閉板は透明で互いに対向して配置され、それぞれの一部に各挟持部を有し、互いに対向する位置にそれぞれ貫通孔を有し、前記スケールは各貫通孔に挿入され、前記固定手段は各開閉板の間で前記スケールを前記クリップ本体に対して任意の位置で固定可能に設けられ、前記目盛を示す基準マークを有することが好ましい。
この場合、透明な各開閉板を通して、基準マークで目盛を読むことができる。刃先の位置に基準マークを設けることにより、スケールで正確な長さを測ることができる。各開閉板は、プラスチックなど、透明であればいかなる材質から成っていてもよい。
【考案の効果】
【００１３】
本考案によれば、ハサミなどの刃の背の部分に取り付けて、紙や紐などを端からの長さを揃えて切断しやすくすることができるスケール付クリップを提供することができる。
【考案を実施するための最良の形態】
【００１４】
以下、図面に基づき本考案の実施の形態について説明する。
図１乃至図３は、本考案の実施の形態のスケール付クリップを示している。
図１に示すように、スケール付クリップ１０は、クリップ本体１１と固定手段１２とスケール１３とを有している。
【００１５】
図１（ａ）および（ｂ）に示すように、クリップ本体１１は、１対の開閉板２１と連結板２２と１対の把持部２３とを有している。各開閉板２１は、透明なプラスチック製であり、矩形状を成し、互いに対向して配置されている。各開閉板２１は、一方の長辺が互いに間隔を開けて連結板２２により連結され、他方の長辺が１対の挟持部２４を成して互いに接触している。各開閉板２１は、連結板２２と一体的に形成されており、各挟持部２４が互いに開閉可能であって、閉じる方向に付勢されている。各開閉板２１は、中央部の互いに対向する位置に、それぞれ矩形の貫通孔２５を有している。
【００１６】
各把持部２３は、細長い鉄製の棒から成り、コの字状に折り曲げられている。各把持部２３は、両端２３ａが各挟持部２４に位置し、コの字状の中央部２３ｂが各開閉板２１の連結板２２の側の長辺から突出するよう、それぞれ各開閉板２１の外側面に沿って取り付けられている。各把持部２３は、中央部２３ｂを互いに近づけるよう動かすことにより、各挟持部２４の付勢力に抗して、各挟持部２４を開く方向に作動可能になっている。
【００１７】
図１（ｃ）に示すように、固定手段１２は、固定部２６と雄ネジ部２７と回転操作部２８とを有している。固定部２６は、透明なプラスチック製で、互いに平行に配置された矩形状の上板２６ａと底板２６ｂと、上板２６ａと底板２６ｂとを両側縁同士で連結するよう互いに平行に配置された矩形状の１対の側板２６ｃとを有し、直方体状の外形を成している。固定部２６は、上板２６ａと底板２６ｂと各側板２６ｃとによって囲まれた挿入孔２６ｄを有し、筒状に形成されている。固定部２６は、上板２６ａの中央に貫通する雌ネジ孔を有している。雄ネジ部２７は、上板２６ａの雌ネジ孔と螺合し上板２６ａを貫通している。雄ネジ部２７の軸部の先端は、スケール１３の目盛を示す基準マーク２９となっている。回転操作部２８は、円盤状を成し、中心位置で雄ネジ部２７の他端に固定されている。
【００１８】
図１（ａ）に示すように、固定手段１２は、固定部２６が各開閉板２１の間に配置され、雄ネジ部２７が連結板２２の中央の雌ネジ孔と螺合し連結板２２を貫通している。回転操作部２８を回転させることにより、雄ネジ部２７を軸周りに回転させ、先端の基準マーク２９で固定部２６の底板２６ｂとの間にスケール１３を挟んで固定するようになっている。回転操作部２８を逆方向に回転させれば、雄ネジ部２７をスケール１３から離してスケール１３を自由にスライドさせることができる。
【００１９】
図１（ａ）および（ｂ）に示すように、スケール１３は、プラスチック製で、細長い板状を成している。スケール１３は、一方の端部に伸長方向に対して垂直に折れ曲がって突出するよう設けられた係合部３０を有している。スケール１３は、両面に長さ方向に沿って刻まれ、係合部３０の位置を始点とした長さを表す目盛を有している。スケール１３は、クリップ本体１１の各貫通孔２５に挿入され、各開閉板２１の間で固定手段１２の挿入孔２６ｄに挿入されている。これにより、スケール１３は、各挟持部２４の開閉方向に沿って伸びて、伸長方向に沿ってスライド可能にクリップ本体１１に取り付けられている。
【００２０】
スケール１３は、固定が解除された状態で、係合部３０とは反対側の端部から各貫通孔２５および挿入孔２６ｄに挿入したり、各貫通孔２５および挿入孔２６ｄから抜いたりすることにより、クリップ本体１１に対して着脱可能になっている。スケール１３は、固定手段１２の基準マーク２９により目盛が示され、目盛を読みやすくなっている。
【００２１】
なお、固定部２６の上板２６ａの雌ネジ孔を単なる貫通孔とし、雄ネジ部２７の先端を固定部２６の上板２６ａに貫通孔で回転可能に取り付けてもよい。この場合、回転操作部２８を回転させることにより、雄ネジ部２７を軸周りに回転させ、固定部２６とともにスケール１３を連結板２２に近づけたり遠ざけたりすることができる。スケール１３は、固定部２６を連結板２２に近づけることにより、固定部２６の底板２６ｂと各貫通孔２５の上縁部とで押えられ、クリップ本体１１に対して任意の位置で固定される。また、その固定された状態から、回転操作部２８を回転させて固定手段１２の固定部２６を連結板２２から遠ざけることにより、固定が解除される。
【００２２】
次に、作用について説明する。
図２および図３に示すように、スケール付クリップ１０は、好適には、ハサミなどの刃１の背の部分に取り付けて使用される。すなわち、把持部２３で各挟持部２４の付勢力に抗して各挟持部２４を開き、各挟持部２４でハサミの刃１の背の部分を挟んで、ハサミの刃１の背の部分に取り付ける。このとき、スケール１３が、各挟持部２４の開閉方向に沿って伸びるようクリップ本体１１に取り付けられているため、スケール１３が刃面２に対して垂直方向に伸びる。
【００２３】
スケール１３の係合部３０を刃先３に向け、紙４や紐などの端４ａから所望の長さに切断できるよう、基準マーク２９で目盛を読みながらスケール１３をスライドさせる。このとき、各開閉板２１および固定部２６が透明であるため、各開閉板２１および固定部２６を通して基準マーク２９で目盛を読むことができる。なお、刃先３の位置に基準マーク２９を設けることにより、スケール１３で正確な長さを測ることができる。
【００２４】
スケール１３を所望の位置にスライドさせたならば、紙４や紐などの端４ａを係合部３０に当てた状態で切断することにより、より容易に、端４ａから所望の長さに切断したり、端４ａからの長さを揃えて切断したりすることができる。このように、スケール付クリップ１０は、ハサミの刃１の背の部分に取り付けて、紙４や紐などを端４ａからの長さを揃えて切断しやすくすることができる。
【００２５】
係合部３０が不要なときには、スケール１３を外したり、係合部３０を刃１の背の側に向けるようスケール１３を付け直したりすればよい。また、スケール付クリップ１０は、各挟持部２４により着脱可能であるため、別のハサミに付け替えて使用することができる。スケール付クリップ１０は、ハサミだけでなく、ペンチやニッパーなどにも取り付けることができ、針金やケーブルなどを所望の長さに切断したり、端からの長さを揃えて切断したりすることができる。
【図面の簡単な説明】
【００２６】
【図１】本考案の実施の形態のスケール付クリップを示す（ａ）正面図、（ｂ）右側面図、（ｃ）固定手段の側面図である。
【図２】図１に示すスケール付クリップのハサミに取り付けた使用状態を示す平面図である。
【図３】図１に示すスケール付クリップのハサミに取り付けた使用状態を示す左側面図である。
【符号の説明】
【００２７】
１    刃
２    刃面
３    刃先
４    紙
４ａ  端
１０  スケール付クリップ
１１  クリップ本体
１２  固定手段
１３  スケール
２１  開閉板
２２  連結板
２３  把持部
２４  挟持部
２５  貫通孔
２６  固定部
２６ａ  上板
２６ｂ  底板
２６ｃ  側板
２６ｄ  挿入孔
２７  雄ネジ部
２８  回転操作部
２９  基準マーク
３０  係合部
【図１】
0003145694.tif 000003
【図２】
0003145694.tif 000004
【図３】
0003145694.tif 000005